(57)【要約】【課題】非接触式のＩＣカードの固有情報を読み取る読取装置が有する機能とは異なる機能を容易に追加することができるとともに、配置の自由度が高く施工性に優れた機能追加装置および通信システムを提供する。【解決手段】非接触式のＩＣカードから該ＩＣカード固有の情報を近距離無線通信によって読み取る読取装置と近距離無線通信を行うことが可能であり、読取装置が有する機能と異なる機能を追加する機能追加装置が、読取装置との機器間通信によって異なる機能を実現するための情報を読取装置との間で送受信する制御を行う制御部を備え、読取装置との近距離無線通信が可能な領域に固定して配置される。【選択図】図１
2014123330.tif 000002
【特許請求の範囲】
【請求項１】
非接触式のＩＣカードから該ＩＣカード固有の情報を近距離無線通信によって読み取る読取装置と前記近距離無線通信を行うことが可能であり、前記読取装置が有する機能と異なる機能を追加する機能追加装置であって、
前記読取装置との機器間通信によって前記異なる機能を実現するための情報を前記読取装置との間で送受信する制御を行う制御部を備え、
前記読取装置との前記近距離無線通信が可能な領域に固定して配置されることを特徴とする機能追加装置。
【請求項２】
前記近距離無線通信を行う際、常に機器間通信モードに設定されていることを特徴とする請求項１に記載の機能追加装置。
【請求項３】
前記近距離無線通信を行う際にターゲットとして機能することを特徴とする請求項１または２に記載の機能追加装置。
【請求項４】
非接触式のＩＣカードから該ＩＣカード固有の情報を近距離無線通信によって読み取る読取装置と、
前記読取装置との前記近距離無線通信を行うことが可能であり、前記読取装置との機器間通信によって前記読取装置が有する機能と異なる機能を実現するための情報を前記読取装置との間で送受信する制御を行う制御部を備え、前記読取装置との前記近距離無線通信が可能な領域に固定して配置される機能追加装置と、
を備えたことを特徴とする通信システム。
【請求項５】
前記読取装置は、
前記ＩＣカードのカード情報を読み取る機能と、前記機能追加装置と機器間通信を行う機能とを切り替え可能であることを特徴とする請求項４に記載の通信システム。
【請求項６】
互いに追加する機能が異なる複数の前記機能追加装置を備えたことを特徴とする請求項４または５に記載の通信システム。
【請求項７】
非接触式のＩＣカードから該ＩＣカード固有の情報を近距離無線通信によって読み取る読取装置と、
前記読取装置との前記近距離無線通信を行うことがそれぞれ可能であり、前記読取装置との機器間通信によって前記読取装置が有する機能と異なる機能を実現するための情報を前記読取装置との間で送受信する制御部をそれぞれ備えた複数の機能追加装置と、
を備え、
前記複数の機能追加装置の少なくともいずれか一つは前記読取装置と通信可能な領域に固定して配置され、
前記読取装置と通信可能な領域に配置されていない前記機能追加装置は、他のいずれかの前記機能追加装置と通信可能な領域に固定して配置されることを特徴とする通信システム。
【発明の詳細な説明】
【技術分野】
【０００１】
本発明は、非接触式のＩＣカードから該ＩＣカード固有の情報を読み取り可能な読取装置が有する機能と異なる機能を追加する機能追加装置、ならびに読取装置および機能追加装置を備えた通信システムに関する。
【背景技術】
【０００２】
従来、機械警備用の遠隔操作器や出入管理装置として、非接触式のＩＣカードが個別に有する固有情報を読み取ることが可能な読取装置（非接触カードリーダ）が知られている。この読取装置は、所定の無線通信規格にしたがってＩＣカードとの間で無線通信を行うことによってそのＩＣカードの固有情報を読み取り、この読み取った情報を照合装置へ送信する。
【０００３】
上述した無線通信規格の一例として、ＮＦＣ（Near  Field  Communication）と呼ばれるものが知られている。ＮＦＣは、１３．５６ＭＨｚ帯の周波数を用いて最大１０ｃｍ程度離れた機器間で無線通信を行ったり、機器相互にデータの読み書きを行ったりする技術である（例えば、特許文献１〜３を参照）。より具体的には、ＮＦＣは、カードエミュレーション機能、リーダーライター機能、および機器間通信機能の３つの機能を有する。カードエミュレーション機能は、非接触式のＩＣカードまたはＩＣタグと同等の動作を行う機能である。リーダーライター機能は、非接触式のＩＣカードやＩＣタグに対してデータの読み書きを行う機能である。機器間通信機能は、ピアツーピア（Ｐ２Ｐ）で機器間通信を行う機能である。
【先行技術文献】
【特許文献】
【０００４】
【特許文献１】特開２００５−１５９９５８号公報
【特許文献２】特開２０１２−１０３４６号公報
【特許文献３】特開２０１１−６３９６５号公報
【発明の概要】
【発明が解決しようとする課題】
【０００５】
ところで、上述した読取装置では、セキュリティ向上のために暗証番号の入力機能を追加する場合がある。従来、このような入力機能を追加する場合には、読取装置に対してテンキー等の入力手段をさらに設けた装置を新たに製造することが多かった。
【０００６】
しかしながら、読取装置に対して追加したい機能は、暗証番号の入力機能だけとは限らない。このため、追加する機能に対応した読取装置をその都度製造しなければならず、手間がかかるという問題があった。
【０００７】
この問題を解決するには、読取装置と追加機能を具備した装置とを別体で製造すればよい。しかしながら、この場合には、設置の際に２つの装置間で配線を引き回す必要があり、両装置の配置の自由度が低く、施工性が悪いという問題があった。
【０００８】
本発明は、上記に鑑みてなされたものであって、非接触式のＩＣカードの固有情報を読み取る読取装置が有する機能とは異なる機能を容易に追加することができるとともに、配置の自由度が高く施工性に優れた機能追加装置および通信システムを提供することを目的とする。
【課題を解決するための手段】
【０００９】
上述した課題を解決し、目的を達成するために、本発明に係る機能追加装置は、非接触式のＩＣカードから該ＩＣカード固有の情報を近距離無線通信によって読み取る読取装置と前記近距離無線通信を行うことが可能であり、前記読取装置が有する機能と異なる機能を追加する機能追加装置であって、前記読取装置との機器間通信によって前記異なる機能を実現するための情報を前記読取装置との間で送受信する制御を行う制御部を備え、前記読取装置との前記近距離無線通信が可能な領域に固定して配置されることを特徴とする。
【００１０】
本発明に係る機能追加装置は、上記発明において、前記近距離無線通信を行う際、常に機器間通信モードに設定されていることを特徴とする。
【００１１】
本発明に係る機能追加装置は、上記発明において、前記近距離無線通信を行う際にターゲットとして機能することを特徴とする。
【００１２】
本発明に係る通信システムは、非接触式のＩＣカードから該ＩＣカード固有の情報を近距離無線通信によって読み取る読取装置と、前記読取装置との前記近距離無線通信を行うことが可能であり、前記読取装置との機器間通信によって前記読取装置が有する機能と異なる機能を実現するための情報を前記読取装置との間で送受信する制御を行う制御部を備え、前記読取装置との前記近距離無線通信が可能な領域に固定して配置される機能追加装置と、を備えたことを特徴とする。
【００１３】
本発明に係る通信システムは、上記発明において、前記読取装置は、前記ＩＣカードのカード情報を読み取る機能と、前記機能追加装置と機器間通信を行う機能とを切り替え可能であることを特徴とする。
【００１４】
本発明に係る通信システムは、上記発明において、互いに追加する機能が異なる複数の前記機能追加装置を備えたことを特徴とする。
【００１５】
本発明に係る通信システムは、非接触式のＩＣカードから該ＩＣカード固有の情報を近距離無線通信によって読み取る読取装置と、前記読取装置との前記近距離無線通信を行うことがそれぞれ可能であり、前記読取装置との機器間通信によって前記読取装置が有する機能と異なる機能を実現するための情報を前記読取装置との間で送受信する制御部をそれぞれ備えた複数の機能追加装置と、を備え、前記複数の機能追加装置の少なくともいずれか一つは前記読取装置と通信可能な領域に固定して配置され、前記読取装置と通信可能な領域に配置されていない前記機能追加装置は、他のいずれかの前記機能追加装置と通信可能な領域に固定して配置されることを特徴とする。
【発明の効果】
【００１６】
本発明によれば、非接触式のＩＣカードの固有情報を読み取る読取装置が有する機能とは異なる機能を容易に追加することができるとともに、配置の自由度が高く施工性に優れた機能追加装置および通信システムを提供することができる。
【図面の簡単な説明】
【００１７】
【図１】図１は、本発明の一実施の形態に係る通信システムを含む警備システムの全体構成を模式的に示す図である。
【図２】図２は、図１に示す警備システムの機能構成を示すブロック図である。
【図３】図３は、図１に示す警備システムにおいて、読取装置と入力装置がそれぞれ起動してから、読取装置がＩＣカードの情報を読み取って読取装置と入力装置との間の通信を確立するまでの処理の概要を示す図である。
【図４】図４は、図１に示す警備システムにおいて、読取装置と入力装置が機器間通信を行う場合の処理の概要を示す図である。
【図５】図５は、本発明の一実施の形態に係る入力装置の読取装置に対する配置例（第１例）を示す図である。
【図６】図６は、本発明の一実施の形態に係る入力装置の読取装置に対する配置例（第２例）を示す図である。
【図７】図７は、本発明の別な実施の形態に係る通信システムの構成を示す図である。
【発明を実施するための形態】
【００１８】
以下、添付図面を参照して、本発明を実施するための形態（以下、「実施の形態」という）を説明する。
【００１９】
図１は、本発明の一実施の形態に係る通信システムを含む警備システムの全体構成を模式的に示す図である。図２は、図１に示す警備システムの機能構成を示すブロック図である。図１および図２に示す警備システム１は、非接触式のＩＣカード１０１の情報を近距離無線通信（以下、ＮＦＣ通信という）によって読み取る機能を有する通信システム２と、通信システム２が読み取ったＩＣカード１０１の情報を照合する照合装置３とを備える。警備システム１は、例えば機械警備用として適用される。
【００２０】
通信システム２は、ＩＣカード１０１から固有の情報をＮＦＣ通信によって読取可能であるとともに、照合装置３と配線ケーブル６を介して通信可能に接続される読取装置４と、読取装置４とのＮＦＣ通信が可能であり、暗証番号入力機能を追加する機能追加装置である入力装置５と有する。本実施の形態において、読取装置４と入力装置５がＮＦＣ通信を行う際、読取装置４はイニシエータとして機能する一方、入力装置５はターゲットとして機能する。
【００２１】
読取装置４は、装置全体の動作を統括して制御する制御部４１と、入力装置５およびＩＣカード１０１との間のＮＦＣ通信を制御するＮＦＣ通信部４２と、ＮＦＣ通信用の電波を送受信するアンテナ４３と、各種情報の入力を受け付ける入力部４４と、各種情報の出力を行う出力部４５と、照合装置３との間で情報の送受信を行う送受信部４６と、読取装置４の識別情報、通信に関する情報、動作プログラム等を含む各種情報を記憶する記憶部４７と、を有する。
【００２２】
制御部４１は、ＣＰＵ等を用いて実現され、記憶部４７が記憶、格納する動作プログラムおよび情報に基づいて演算処理を実行する。
【００２３】
ＮＦＣ通信部４２は、アンテナ４３に接続されて情報の送受信を行う無線送受信部４２１と、ＮＦＣ通信部４２の動作を統括して制御する通信制御部４２２と、ＮＦＣ通信に必要な各種情報を記憶するＲＯＭやＲＡＭ等を含むメモリ４２３と、を有する。ＮＦＣ通信部４２は、上述した機能を実現するための素子が実装されたＩＣチップを用いて実現される。図１に示す場合には、ＩＣカードの絵が描かれた領域付近の筐体内部にＩＣチップが配設されている場合を模式的に示している。この場合、使用者は、絵が描かれた領域を目安にＩＣカード１０１を近づける。
【００２４】
アンテナ４３は、例えばループアンテナによって実現される。
出力部４５は、情報を表示可能な表示部や、情報を音声出力可能な音声出力部を有する。出力部４５が出力する情報は、例えば設定されたモード情報（警備モード、警備解除モード等）、異常情報、操作ガイダンス情報などである。図１では、長方形で記載された領域（ＩＣカードの絵が描かれた領域を除く）に各種情報が表示されるとともに、左下部に規則的に形成された複数の小孔部の裏側に相当する筐体内部に音声出力部が設けられている場合を模式的に示している。
送受信部４６は、所定の通信プロトコルにしたがって照合装置３との間で情報の送受信を行うインターフェースである。
記憶部４７は、各種動作プログラムが予め記憶されたＲＯＭ、および各処理の演算パラメータやデータ等を記憶するＲＡＭ等を用いて実現される。
【００２５】
入力装置５は、制御部５１と、ＮＦＣ通信部５２と、アンテナ５３と、入力部５４と、出力部５５と、記憶部５６と、を有する。
【００２６】
制御部５１は、読取装置４との機器間通信によって前記異なる機能を実現するための情報を読取装置４との間で送受信する制御を行う。制御部５１は、ＣＰＵ等を用いて実現され、記憶部５６が記憶、格納する動作プログラムおよび情報に基づいて演算処理を実行する。
【００２７】
ＮＦＣ通信部５２は、ＮＦＣ通信部４２と同様の構成を有する。すなわち、ＮＦＣ通信部５２は、無線送受信部５２１と、通信制御部５２２と、メモリ５２３とを有し、ＩＣチップを用いて実現される。
【００２８】
入力部５４は、例えばテンキーを用いて実現される。図１では、縦横に規則的に配置された長方形によって入力用のキーを模式的に示している。入力部５４は、入力装置５における機能（認証機能）を実現するための情報の一部として、例えば暗証番号の入力を受け付ける。
出力部５５は、出力部４５と同様、表示部および音声出力部を有する。出力部５５が出力する情報は、例えばキーの数字情報、異常情報、操作ガイダンス情報などである。
なお、入力部５４を、出力部５５が有する表示部の表示画面に積層されて接触位置に応じた信号の入力を受け付けるタッチパネルによって実現することも可能である。
【００２９】
以上の機能構成を有する入力装置５は、読取装置４とＮＦＣの機器間通信を行うことが可能な領域に固定して配置される。図１では、入力装置５が読取装置４の右隣に並べて配置した場合を示している。
【００３０】
照合装置３は、装置全体を統括して制御する制御部３１と、配線ケーブル６を介して読取装置４との間で情報を送受信する際のインターフェースとして機能する送受信部３２と、認証すべきＩＣカード１０１に固有のＩＤ情報および入力装置５によって入力される暗証番号等の情報を記憶するとともに、照合装置３の動作に必要な情報を記憶する記憶部３３と、読取装置４から受信した情報に対し、記憶部３３が記憶する情報を参照することによって照合を行う照合部３４と、を備える。
【００３１】
照合装置３は、図示しない通信ネットワークを介して所定の管理サーバと通信可能に接続されている。照合装置３は、照合結果を含む情報を管理サーバへ送信する一方、管理サーバからの情報に基づいて、記憶部３３が記憶する内容を更新する。
【００３２】
ＩＣカード１０１は、読取装置４との間のＮＦＣ通信を制御するＮＦＣ通信部１０２と、ＮＦＣ通信用のアンテナ１０３とを有する。ＮＦＣ通信部１０２は、無線送受信部１２１と、通信制御部１２２と、メモリ１２３とを有する。アンテナ１０３は、例えばループアンテナを用いて実現される。ＩＣカード１０１は、略長方形の表面を有する薄い板状の基材の表面にＮＦＣ通信部１０２およびアンテナ１０３が設けられて封止されている。
【００３３】
なお、ＩＣカード１０１は必ずしもカード形状を有しているものである必要はなく、例えばＮＦＣ通信機能を有するスマートフォン等の携帯端末をＩＣカード１０１として適用することも可能である。
【００３４】
図３は、警備システム１において、読取装置４と入力装置５がそれぞれ起動してから、読取装置４がＩＣカード１０１の情報を読み取って読取装置４と入力装置５との間の通信を確立するまでの処理の概要を示す図である。
【００３５】
読取装置４は、起動時にリーダーライターモード（Ｒ／Ｗモード）となるように設定されている。Ｒ／Ｗモードでは、制御部４１が、ＩＣカード１０１からの情報の読み取りを要求する信号（第１のポーリング信号）を所定の周期で通信制御部４２２へ送信する（ステップＳ１）。第１のポーリング信号を受信した通信制御部４２２は、その信号を、無線送受信部４２１およびアンテナ４３を介して入力装置５に対して送信する（ステップＳ２）。通信制御部４２２は、第１のポーリング信号を受信してから所定時間経過してもＩＣカード１０１からの情報を受信しない場合、すなわち第１のポーリング信号を受信してから所定時間経過しても読取装置４の近傍にＩＣカード１０１が近づいてこない場合、制御部４１に対して時間切れであることを示すタイムアウト信号を送信する（ステップＳ３）。読取装置４は、ＩＣカード１０１からの情報の読み取りがない場合、ステップＳ１〜Ｓ３の処理を所定の周期で繰り返す。
【００３６】
入力装置５は、常に機器間通信モード（Ｐ２Ｐモード）となるように設定されている。入力装置５の起動時において、制御部５１は、ターゲットとして動作することを要求する信号を通信制御部５２２に対して送信する（ステップＳ４）。入力装置５は、読取装置４から送られてくる第１のポーリング信号は無視する。また、入力装置５は、読取装置４がＰ２Ｐモードに設定されていない間、機器間通信待ち状態で待機する。
【００３７】
次に、ＩＣカード１０１が読取装置４の通信可能範囲に近づいてきた場合を説明する。以下の説明では、ステップＳ３の後、制御部４１が送信した第１のポーリング信号に対する応答としてタイムアウト信号を受信する状況がしばらく続いたものとする。また、ステップＳ３以降に読取装置４がタイムアウト信号を受信する状況がしばらく続いた後のステップＳ５において、通信制御部４２２が第１のポーリング信号を送信した直後に、ＩＣカード１０１が読取装置４の通信可能範囲に近づいたものとする。
【００３８】
ステップＳ５で制御部４１によって送信された第１のポーリング信号を受信した通信制御部４２２は、入力装置５へ第１のポーリング信号を送信する（ステップＳ６）。この直後のタイミングでＩＣカード１０１が読取装置４の通信可能範囲に近づいた場合、ＩＣカード１０１も第１のポーリング信号を受信し（ステップＳ６’）、第１のポーリング信号に対する応答としてのカードＩＤ情報を読取装置４へ送信する（ステップＳ７）。
【００３９】
ＩＣカード１０１からカードＩＤ情報を受信した通信制御部４２２は、受信したカードＩＤ情報を制御部４１へ送信する（ステップＳ８）。
【００４０】
制御部４１は、通信制御部４２２から受信したカードＩＤ情報を、送受信部４６を介して照合装置３へ送信する（ステップＳ９）。
【００４１】
カードＩＤ情報を受信した照合装置３では、照合部３４が、受信したカードＩＤ情報と記憶部３３が記憶する情報とを用いてカードＩＤ情報の照合を行う。制御部３１は、照合部３４による照合結果を、送受信部３２を介して読取装置４へ送信する制御を行う（ステップＳ１０）。
【００４２】
照合結果を受信した読取装置４は、照合結果に応じた処理を行う。図３においては、照合結果が真である場合を例示している。照合結果が真である場合、制御部４１は、入力装置５のＩＤを含む情報（以下、装置ＩＤ情報という）を要求する信号（第２のポーリング信号）を通信制御部４２２に対して送信する（ステップＳ１１）。第２のポーリング信号を受信した通信制御部４２２は、その信号を、無線送受信部４２１およびアンテナ４３を介して入力装置５に対して送信する（ステップＳ１２）。
【００４３】
ここで、第２のポーリング信号は、ＩＣカード１０１検知用の第１のポーリング信号とは異なる通信方式に対応していればより好ましい。例えば、第１のポーリング信号がＦｅｌｉＣａ（登録商標）に対応している場合、第２のポーリング信号をＭｉｆａｒｅ（登録商標）に対応させればよい。このようにすることで、通信時のコリジョンを回避しやすくすることが可能となる。
【００４４】
第２のポーリング信号を受信した入力装置５では、通信制御部５２２が装置ＩＤ情報を、無線送受信部５２１およびアンテナ５３を介して読取装置４へ送信する（ステップＳ１３）。装置ＩＤ情報を受信した読取装置４の通信制御部４２２は、その情報を制御部４１へ送信する（ステップＳ１４）。
【００４５】
制御部４１が入力装置５の装置ＩＤ情報を受信すると、制御部４１は読取装置４のモードをＰ２Ｐモードに変更する処理を行う。具体的には、制御部４１は、通信制御部４２２に対し、イニシエータとして動作することを要求する信号を送信する（ステップＳ１５）。
【００４６】
この後、通信制御部４２２は、イニシエータであることを識別するための第１ＩＤ情報（ＮＦＣＩＤｉ）を入力装置５へ送信する（ステップＳ１６）。読取装置４から第１ＩＤ情報を受信した通信制御部５２２は、この第１ＩＤ情報を制御部５１へ送信する（ステップＳ１７）。また、通信制御部５２２は、ターゲットであることを識別するための第２ＩＤ情報（ＮＦＣＩＤｔ）を読取装置４へ送信する（ステップＳ１８）。
【００４７】
入力装置５から第２ＩＤ情報を受信した通信制御部４２２は、この第２ＩＤ情報を制御部４１へ送信する（ステップＳ１９）。
【００４８】
このようにして、読取装置４がＰ２Ｐモードへ移行した後、入力装置５との間で第１ＩＤ情報と第２ＩＤ情報の交換が完了した後、読取装置４と入力装置５との間で実質的なデータをやり取りするための機器間通信が開始される。
【００４９】
なお、ステップＳ１０で送信される照合結果が偽である場合、制御部４１は、ステップＳ１１以降の処理を行うことなく、第１のポーリング信号を通信制御部４２２へ周期的に送信する処理を続行する。これにより、読取装置４は、例えばターゲットである入力装置５から識別情報が送信されてくるような場合であっても、誤作動を起こすことなく処理を続行することが可能となる。
【００５０】
図４は、警備システム１において、読取装置４と入力装置５が機器間通信を行う場合の処理の概要を示す図である。
【００５１】
読取装置４は、制御部４１の制御のもと、ＮＦＣ通信部４２およびアンテナ４３を介して、データ入力確認を要求する信号（データ確認信号）を含む情報を入力装置５へ送信する（ステップＳ２１）。
【００５２】
読取装置４は、データ確認信号を所定の周期で繰り返し送信する。データ確認信号を受信した入力装置５では、制御部５１の制御のもと、ＮＦＣ通信部５２およびアンテナ５３を介して、確認結果を読取装置４へ送信する（ステップＳ２２）。図４に示す場合、ステップＳ２１のデータ確認信号に対する確認結果として、「入力なし」という結果に対応する情報を送信している。
【００５３】
その後、入力装置５の入力部５４によってデータの入力が行われた場合を説明する。この場合には、その後で最初に読取装置４がデータ確認信号を入力装置５へ送信したとき（ステップＳ２３）、入力装置５は確認結果として入力データを含む情報を読取装置４へ送信する（ステップＳ２４）。入力データを含む情報を受信した読取装置４は、受信した情報をＮＦＣ通信部４２のメモリ４２３または記憶部４７において一時的に記憶する。
【００５４】
入力装置５におけるデータの入力は、例えば暗証番号のような数値データである。この場合、入力部５４においては、所定の桁数の数値（暗証番号）が入力された後、入力の終了を通知する信号（入力終了通知）が入力される。入力部５４は、この入力終了通知を、所定のキー（例：エンターキー）が押下された場合に受け付ける。入力部５４が入力終了通知の入力を受け付けた後、最初に読取装置４がデータ確認信号を送信したとき（ステップＳ２５）、入力装置５は、確認結果として入力終了通知を含む情報を読取装置４へ送信する（ステップＳ２６）。
【００５５】
入力終了通知を受信した読取装置４では、制御部４１がメモリ４２３または記憶部４７によって一時的に記憶されていた入力データ全体を読み出し、送受信部４６を介して照合装置３へ送信する（ステップＳ２７）。
【００５６】
照合装置３では、照合部３４が、受信した入力データ全体を記憶部３３が記憶する暗証番号情報と照合する。その後、照合装置３は、制御部３１の制御のもと、照合部３４による照合結果を読取装置４へ送信する（ステップＳ２８）。
【００５７】
照合結果を受信した読取装置４は、照合結果に応じた処理を行う。図４においては、照合結果が真である場合を例示している。照合結果が真である場合、制御部４１は、入力装置５に対して機器間通信の終了を報知する信号を送信する（ステップＳ２９）。この信号を受信した入力装置５は、読取装置４に対して機器間通信の終了を了承する応答信号を送信する（ステップＳ３０）。この応答信号を受信した読取装置４では、制御部４１がＰ２ＰモードからＲ／Ｗモードへ変更する制御を行う。
【００５８】
なお、読取装置４がＰ２Ｐモードへ移行してから入力装置５の入力部５４が入力を受け付けないまま所定時間経過した場合、すなわちステップＳ２１〜Ｓ２２の処理を所定時間繰り返した場合、読取装置４の制御部４１は、ステップＳ２９と同様に、入力装置５へ機器間通信の終了を報知する信号を送信する。この信号を受信した入力装置５は、ステップＳ３０と同様に、読取装置４に対して応答信号を送信する。その後、応答信号を受信した読取装置４では、制御部４１がＰ２ＰモードからＲ／Ｗモードへ変更する制御を行う。
【００５９】
以上説明した本発明の一実施の形態によれば、機能追加装置が読取装置と別体であり、読取装置とのＮＦＣ通信が可能な領域に固定して配置され、読取装置との機器間通信によって、読取装置が有する機能と異なる機能を実現するための情報を読取装置との間で送受信するため、非接触式のＩＣカードの固有情報を読み取る読取装置が有する機能とは異なる機能を容易に追加することができるとともに、配置の自由度が高く施工性に優れた機能追加装置および通信システムを提供することができる。
【００６０】
また、本実施の形態によれば、ＮＦＣ通信機能を有している読取装置が設置されている状況下では、読取装置に対して何ら変更を加えることなく、機能追加装置のみをさらに設置するだけで、容易にかつ低コストで機能の追加、拡張を実現することができる。この場合、読取装置に対して外部との接続部分を新たに設ける必要性もないため、デザイン設計時に外部機器の追加を考慮しないで済み、防水への対応も容易となる。
【００６１】
また、本実施の形態によれば、読取装置（イニシエータ）のＲ／ＷモードとＰ２Ｐモードとを適切に使い分けることにより、機能追加装置（ターゲット）と連動したシステムを簡易な構成で実現することができる。特に、読取装置のみが設定されている環境下での機能追加を容易に実現することが可能となる。
【００６２】
ここまで、本発明の一実施の形態を詳細に説明してきたが、本発明は上述した実施の形態のみによって限定されるべきものではない。例えば、入力装置５は、図１に示すように読取装置４の右隣に並べて配置する以外にも、読取装置４との間でＮＦＣ通信を行うことが可能な範囲であれば自由に配置することが可能である。
【００６３】
図５は、読取装置４に対する入力装置５の配置例（第１例）を示す図である。図５において、領域Ｄは、読取装置４と通信可能な範囲を示しており、破線が入力装置５の配置例を示している。図５に示すように、入力装置５は、領域Ｄ内であれば、読取装置４の設置面上で位置や配置の向き等を自由に設定することが可能である。
【００６４】
図６は、読取装置４に対する入力装置５の別な配置例（第２例）を示す図である。図６に示す場合、入力装置５は、読取装置４と通信可能な領域Ｄ内であれば、読取装置４が表面に設置されている壁Ｗにおいて、その壁Ｗの別な壁面や、壁Ｗの内部に配設することが可能である（破線を参照）。
【００６５】
また、本発明に係る機能追加装置として、読取装置が読み取った情報を読み取ったＩＣカードが有効である場合に電気錠を開錠または施錠する制御を行う電気錠制御装置を適用することも可能である。機能追加装置が電気錠制御装置である場合、通信システムでは、開錠または施錠を指令する信号が通信される。
【００６６】
また、本発明に係る機能追加装置として、照合装置を適用することも可能である。この場合、通信システムでは、照合用のデータと照合結果が通信される。
【００６７】
機能追加装置として電気錠制御装置または照合装置を適用する場合には、例えば読取装置を設置した壁の内部や裏側等の人目につかない場所に配置する（図６を参照）ことにより、一般ユーザによる誤操作を防止し、セキュリティを向上させることができる。
【００６８】
また、本発明に係る機能追加装置として、ＩＣカードの所有者を撮像するためのカメラを適用することも可能である。この場合、通信システムでは、レリーズ信号等の撮像に関する指令が通信される。そのため、所有者の顔を撮影しやすい位置にカメラを配置するようにすればより好ましい。カメラは、新機種が短期間で開発されやすい機器である。本発明では、読取装置とは別体の機能追加装置としてカメラ配設するため、新機種への機種交換を容易に行うことができるという利点も有する。
【００６９】
また、本発明に係る機能追加装置として、ＩＣカードの所有者を生体認証するための生体認証装置を適用することも可能である。この場合、通信システムでは、生体認証結果や、生体認証の開始指示および終了指示等が送受信される。機能追加装置として生体認証装置を適用する場合、所有者の生体認証を行いやすい位置に生体認証装置を配置すればより好ましい。
【００７０】
また、本発明において、読取装置と通信可能な範囲内に複数の機能追加装置を設置することも可能である。例えば、上述した一実施の形態で説明した通信システムにおいて、読取装置とＮＦＣ通信可能な領域に別な機能追加装置としての照合装置をさらに配置すれば、スタンドアローン型の警備システムを実現することができる。この場合、上述した一実施の形態において読取装置と有線接続していた照合装置は不要となる。
【００７１】
また、本発明において、機能追加装置を電池で起動したり、読取装置から電磁誘導に基づく電源供給を行うようにしてもよい。このような構成を有することにより、機能追加装置側の配線を完全になくすことができ、機能追加装置の施工性をさらに向上させることが可能となる。
【００７２】
また、本発明において、機器間通信で機能追加装置が読取装置へデータを送信する際、イニシエータとターゲットの関係を切り替えてデータの送受信を行うようにしてもよい。
【００７３】
また、本発明において、機能追加装置同士の機器間通信を利用することによって広範囲の機器間通信を実現することも可能である。図７は、このような通信システムの一実現例を示す図である。同図に示す通信システム２０１は、読取装置４と、複数の機能追加装置５ａ、５ｂ、５ｃ、・・・とを備える。読取装置４のＮＦＣ通信可能範囲Ｄ1には、機能追加装置５ａのみが配置されている。機能追加装置５ａの通信可能範囲Ｄ2には、読取装置４のほか、機能追加装置５ｂが配置されている。機能追加装置５ｂの通信可能範囲Ｄ3には、機能追加装置５ａ、５ｃが配置されている。
【００７４】
以上の構成を有する通信システム２０１では、各構成要素は、機器間通信モードにおいてイニシエータとターゲットの機能を適宜変化させながらデータの送受信を行うことができる。例えば、読取装置４→機能追加装置５ａ→機能追加装置５ｂ→機能追加装置５ｃ→・・・の順に情報を送信することができる一方、・・・→機能追加装置５ｃ→機能追加装置５ｂ→機能追加装置５ａ→読取装置４の順に情報を送信することも可能である。
【００７５】
このように、通信システム２０１では、すべての構成要素が共通の通信可能範囲に入っていなくても、数珠つなぎにデータの送受信を実行することができる。
【００７６】
以上の説明からも明らかなように、本発明は、ここでは記載していない様々な実施の形態等を含みうるものであり、特許請求の範囲により特定される技術的思想を逸脱しない範囲内において種々の設計変更等を施すことが可能である。
【符号の説明】
【００７７】
１  警備システム
２、２０１  通信システム
３  照合装置
４  読取装置
５、５ａ、５ｂ、５ｃ  入力装置（機能追加装置）
６  配線ケーブル
３１、４１、５１  制御部
３２、４６  送受信部
３３、４７、５６、  記憶部
３４  照合部
４２、５２、１０２  ＮＦＣ通信部
４３、５３、１０３  アンテナ
４４、５４  入力部
４５、５５  出力部
１０１  ＩＣカード
１２１、４２１、５２１  無線送受信部
１２２、４２２、５２２  通信制御部
１２３、４２３、５２３  メモリ
【図１】
2014123330.tif 000003
【図２】
2014123330.tif 000004
【図３】
2014123330.tif 000005
【図４】
2014123330.tif 000006
【図５】
2014123330.tif 000007
【図６】
2014123330.tif 000008
【図７】
2014123330.tif 000009